(57)【要約】【課題】本発明は、補聴器との互換性がよい無線通信装置を提供することを目的とする。【解決手段】本発明に係る無線通信装置は、回路基板と、前記回路基板に設けられるレシーバー及びアンテナモジュールと、前記アンテナモジュールに近接して設けられる補聴器互換モジュールと、を備える。前記補聴器互換モジュールは、第一アース部、第二アース部及び連接手段を含むアース部材を備える。前記第一アース部及び前記第二アース部の形状及び構造は同じであり、前記第一アース部及び前記第二アース部は、前記アース部材の対向する両端に対称的に設けられ、前記連接手段は、それぞれ前記第一アース部及び前記第二アース部に直交して連接される。前記無線通信装置が作動する場合、前記アース部材はアンテナとして機能して前記アンテナモジュールの電流方向を変更させ、前記レシーバーの周りの電場及び磁場を低減させる。【選択図】図１
2012129992.tif 000002
【特許請求の範囲】
【請求項１】
回路基板と、前記回路基板に設けられるレシーバー及びアンテナモジュールと、前記アンテナモジュールに近接して設けられる補聴器互換モジュールと、を備える無線通信装置であって、
前記補聴器互換モジュールは、アース部材を備え、
前記アース部材は、第一アース部、第二アース部及び連接手段を備え、前記第一アース部及び前記第二アース部の形状及び構造は同じであり、前記第一アース部及び前記第二アース部は、前記アース部材の対向する両端に対称的に設けられ、
前記連接手段は、前記第一アース部及び前記第二アース部にそれぞれ直交して連接され、
前記無線通信装置が作動する場合、前記アース部材はアンテナとして機能して前記アンテナモジュールの電流方向を変更させ、前記レシーバーの周りの電場及び磁場を低減させることを特徴とする無線通信装置。
【請求項２】
前記補聴器互換モジュールは、前記アース部材を載置するための基体をさらに備え、前記第一アース部及び前記第二アース部は、前記基体の対向する２つのキャリア面に設けられ、前記連接手段は、２つの前記キャリア面に直交して連接する１つの表面に設けられていることを特徴とする請求項１に記載の無線通信装置。
【請求項３】
前記基体は、絶縁材料からなり、前記アース部材は、金属シート或いはフレキシブル印刷回路基板からなることを特徴とする請求項２に記載の無線通信装置。
【請求項４】
前記第一アース部は、第一スロット、第二スロット及び第三スロットが設けられた矩形の平板体であり、且つ互いに平行する２つの長辺及び互いに平行し且つ前記長辺に直交する２つの短辺を備えることを特徴とする請求項１に記載の無線通信装置。
【請求項５】
前記第一スロットは、矩形を呈し、一方の前記長辺と一方の前記短辺との交差部位に設けられ、且つ２つの前記短辺に平行する方向に沿って、一方の前記長辺から他方の前記長辺に向かって延在することを特徴とする請求項４に記載の無線通信装置。
【請求項６】
前記第二スロットは、矩形を呈し、一方の前記長辺の他方の前記短辺に近い箇所から、前記第一スロットに平行して前記第一スロットと同じ方向に向かって延在することを特徴とする請求項５に記載の無線通信装置。
【請求項７】
前記第三スロットは、矩形を呈し、他方の前記長辺の中央部から２つの前記短辺に平行し且つ他方の前記長辺に向かって延在し、且つ前記第一スロットと前記第二スロットとの間に位置し、前記第一スロットと前記第二スロットとにそれぞれ平行することを特徴とする請求項６に記載の無線通信装置。
【請求項８】
前記連接手段は、第一連接部、第二連接部及び第三連接部を備え、前記第一連接部及び前記第二連接部は、上記した２つの前記キャリア面に直交して連接する１つの表面の両側に対称的に設けられ、且つそれぞれ前記第一アース部に連接されていることを特徴とする請求項２に記載の無線通信装置。
【請求項９】
前記第一連接部及び前記第二連接部は、互いに平行し且つそれぞれ前記第三連接部と間隔をあけて設けられ、前記第三連接部は、矩形を呈し、その幅は前記第一連接部及び前記第二連接部より大きく、且つ一端が前記第二アース部に連接され、他端が前記第一アース部と所定の距離で離間されていることを特徴とする請求項８に記載の無線通信装置。
【請求項１０】
２つの前記キャリア面に直交して連接する１つの表面における前記第三連接部の周囲には、凹所が形成されていることを特徴とする請求項９に記載の無線通信装置。
【発明の詳細な説明】
【技術分野】
【０００１】
本発明は、無線通信装置に関し、特に補聴器と兼用できる無線通信装置に関するものである。
【背景技術】
【０００２】
補聴器は、マイクロホンを介して空気中から伝わってくる音を拾い且つそれを電気信号に変換した後、増幅器によって音を大きくし、レシーバーを通してこの大きくなった音を使用者の耳に伝える装置である。しかし、補聴器と携帯電話機などの無線通信装置を同時に使用する場合、無線通信装置のアンテナが、無線通信装置のレシーバーの周りに電磁場を発生させ、この電磁場から発生されたリップルが補聴器のレシーバー或いは電話感応コイル（ｔｅｌｅｃｏｉｌ）回路に拾われて、前記補聴器の中で騒音を発生する恐れがあり、前記無線通信装置と前記補聴器が、兼用できない。
【０００３】
従って、無線通信装置が補聴器と兼用できるかどうかを判断するために、現在は、先ずこの無線通信装置の補聴器に対する干渉が所定の互換性判断標準より低いか否かを測定しなければならない。無線通信装置と補聴器との互換性判断標準を明確にするために、米国連邦通信委員会（ｆｅｄｅｒａｌ  ｃｏｍｍｕｎｉｃａｔｉｏｎｓ  ｃｏｍｍｉｓｓｉｏｎ，ＦＣＣ）が規定した補聴器両立性（ｈｅａｒｉｎｇ  ａｉｄ  ｃｏｍｐａｔｉｂｉｌｉｔｙ，ＨＡＣ）試験を実施し、無線通信装置の電磁場の補聴器に対する干渉の程度を評価して、無線通信装置が補聴器と組み合せて使用できるかどうかをテストする。
【０００４】
図１に示したように、ＨＡＣ標準は、主に無線周波（ＲＦ）の発射（Ｍ等級）及び電話感応コイルカップリング（Ｔ等級）を含む。その内、Ｍ等級は無線通信装置の無線周波発射能力を示す。Ｍ等級の等級が高ければ高いほど、無線通信装置の補聴器に対する干渉は低くなり、補聴器の信号品質はよくなる。またＴ等級は、無線通信装置のカップリング能力を示す。Ｔ等級が高ければ高いほど、使用者が無線通信装置及び補聴器を同時に使用する時の効果はよくなる。しかし、信号の送受信機能を高めるため、従来の無線通信装置はより高い総輻射電力（ｔｏｔａｌ  ｒａｄｉａｔｅｄ  ｐｏｗｅｒ，ＴＲＰ）を有する。ＴＲＰ値が大き過ぎると、無線通信装置のレシーバーの周りの電磁場を強くさせる問題を招き、そうなるとＭ等級は低くなり、無線通信装置の補聴器に対する干渉が高くなる。よって両者の互換性に影響を及ぼす。
【発明の概要】
【発明が解決しようとする課題】
【０００５】
以上の問題点に鑑みて、本発明は、補聴器との互換性が良い無線通信装置を提供することを目的とする。
【課題を解決するための手段】
【０００６】
上記の目的を達成するために、本発明に係る無線通信装置は、回路基板と、前記回路基板に設けられるレシーバー及びアンテナモジュールと、前記アンテナモジュールに近接して設けられる補聴器互換モジュールと、を備える。前記補聴器互換モジュールは、第一アース部、第二アース部及び連接手段を含むアース部材を備える。前記第一アース部及び前記第二アース部の形状及び構造は同じであり、且つ前記第一アース部及び前記第二アース部は、前記アース部材の対向する両端に対称的に設けられ、前記連接手段は、前記第一アース部及び前記第二アース部にそれぞれ直交して連接される。前記無線通信装置が作動する場合、前記アース部材はアンテナとして機能して前記アンテナモジュールの電流方向を変更させ、前記レシーバーの周りの電場及び磁場を低減させる。
【発明の効果】
【０００７】
従来の技術と比較して、本発明は、無線通信装置に補聴器互換モジュールを設けることにより、前記無線通信装置の総輻射電力を増大させない前提で、そのレシーバーの周りの電場強度及び磁場強度を効果的に低減させることができる。即ち、本発明の無線通信装置は、補聴器との互換性が良く、且つ好ましい送受信機能を有する。
【図面の簡単な説明】
【０００８】
【図１】本発明の無線通信装置に適用するＨＡＣ規準表である。
【図２】本発明の実施形態に係る無線通信装置の全体斜視図である。
【図３】図２に示した無線通信装置のＨＡＣモジュールを示す図である。
【図４】図３に示した無線通信装置のＨＡＣモジュールを別の視点から見た図である。
【図５】図１に示した無線通信装置の電場のテスト結果を示す図である。
【図６】図１に示した無線通信装置の磁場のテスト結果を示す図である。
【図７】図１に示した無線通信装置の総輻射電力のテスト結果を示す図である。
【発明を実施するための形態】
【０００９】
図２に示したように、本発明の実施形態に係る無線通信装置１００は、回路基板１０、レシーバー２０、アンテナモジュール３０及び補聴器互換（ｈｅａｒｉｎｇ  ａｉｄ  ｃｏｍｐａｔｉｂｉｌｉｔｙ，ＨＡＣ）モジュール４０（以下ＨＡＣモジュールと略称する）を備える。
【００１０】
前記回路基板１０は、第一表面１０１及び前記第一表面１０１に対向して配置される第二表面１０２を備える。前記レシーバー２０は、前記第一表面１０１の端縁に隣接して設けられる。前記アンテナモジュール３０は、任意タイプのアンテナであり、前記第二表面１０２における前記レシーバー２０の反対側に設けられる。
【００１１】
図３及び図４に示したように、前記ＨＡＣモジュール４０は、前記第二表面１０２に設けられ、且つ前記アンテナモジュール３０に近接して設けられる。前記ＨＡＣモジュール４０は、基体４１及びアース部材４２を備える。前記基体４１は、直方体であり、プラスチックなどの絶縁材料からなり、前記アース部材４２を載置するために用いられる。前記基体４１は、第一キャリア面４１ａ、第二キャリア面４１ｂ及び第三キャリア面４１ｃを備える。前記第一キャリア面４１ａ及び前記第二キャリア面４１ｂは、対向し且つ互いに平行して設けられ、前記第三キャリア面４１ｃの両端は、それぞれ前記第一キャリア面４１ａ及び前記第二キャリア面４１ｂに直交して連接している。前記アース部材４２は、金属シート或いはフレキシブル印刷回路基板（ｆｌｅｘｉｂｌｅ  ｐｒｉｎｔｅｄ  ｃｉｒｃｕｉｔ  ｂｏａｒｄ，ＦＰＣＢ）からなり、１つのアンテナに等価なものであり且つ第一アース部４２１、第二アース部４２２及び連接手段４２３を備える。前記第一アース部４２１及び前記第二アース部４２２は、それぞれ前記第一キャリア面４１ａ及び前記第二キャリア面４１ｂを被覆して設けられ且つ全て前記回路基板１０のアース端（図示せず）に接続されて、前記アース部材４２を接地させる。前記連接手段４２３は、前記第三キャリア面４１ｃに設けられ、前記第一アース部４２１及び前記第二アース部４２２を連接するために用いられる。
【００１２】
前記第一アース部４２１は、第一スロット４２４、第二スロット４２５及び第三スロット４２６が設けられた矩形の平板体であり、且つ互いに平行する２つの長辺４２ａ、４２ｂ及び互いに平行し且つ前記長辺４２ａ、４２ｂに直交する２つの短辺４２ｃ、４２ｄを備える。前記第一スロット４２４は、矩形を呈し、前記長辺４２ａと前記短辺４２ｃとの交差部位に設けられ、且つ前記短辺４２ｄに平行して前記長辺４２ａから前記長辺４２ｂに向かって延在している。前記第二スロット４２５は、矩形を呈し、前記長辺４２ａの前記短辺４２ｄに近い箇所から、前記第一スロット４２４に平行して前記長辺４２ｂに向かって延在している。前記第三スロット４２６は、矩形を呈し、前記長辺４２ｂの中央部に設けられ、且つ前記短辺４２ｃ、４２ｄに平行して前記長辺４２ａに向かって延在している。前記第三スロット４２６は、前記第一スロット４２４と前記第二スロット４２５との間に位置し、且つ前記第一スロット４２４と前記第二スロット４２５にそれぞれ平行する。
【００１３】
前記第二アース部４２２は、第四スロット４２７、第五スロット４２８及び第六スロット４２９が設けられた矩形の平板体であり、且つ前記第二キャリア面４１ｂに設けられて、前記第一アース部４２１と対称である。図４に示したように、前記第二アース部４２２の形状及び具体的な構造は、前記第一アース部４２１に完全に等しいので、ここでの詳しい説明は省略する。
【００１４】
前記連接手段４２３は、第一連接部４２３１、第二連接部４２３２及び第三連接部４２３３を備える。前記第一連接部４２３１及び前記第二連接部４２３２は、同じ長さ及び幅を有し、前記第三キャリア面４１ｃにおける前記第三連接部４２３３の両側に対称的に設けられ、且つそれぞれ前記第一アース部４２１に連接される。さらに、前記第一連接部４２３１及び前記第二連接部４２３２は、互いに平行し且つそれぞれ前記第三連接部４２３３と間隔をあけて設けられる。前記第三連接部４２３３は、矩形を呈し、前記第一連接部４２３１及び前記第二連接部４２３２との間に設置される。前記第三連接部４２３３の幅は、前記第一連接部４２３１及び前記第二連接部４２３２より大きい。前記第三キャリア面４１ｃにおける前記第三連接部４２３３の周囲には、凹所４２３４が形成される。前記第三連接部４２３３の一端は前記第二アース部４２２に連接され、他端は前記第一アース部４２１と一定の距離で離間される。
【００１５】
前記無線通信装置１００が作動する場合、前記ＨＡＣモジュール４０の中のアース部材４２は、アンテナとして機能し、前記アンテナモジュール３０の電流方向を効果的に改善させる。これにより、前記レシーバー２０の周りの電場及び磁場が改善され、前記無線通信装置１００は補聴器と兼用できるようになる。
【００１６】
図５は、本発明の無線通信装置１００のレシーバー２０の周りの電場強度のテスト結果を示している。実線５１は、ＨＡＣモジュール４０を設けない場合の電場強度を示す。実線５２は、ＨＡＣモジュール４０を設けた後の電場強度を示す。図５から分かるように、前記無線通信装置１００にＨＡＣモジュール４０を設けることにより、前記ＨＡＣモジュール４０は低周波数通路（ＣＨ５１２）、中周波数通路（ＣＨ６６１）及び高周波数通路（ＣＨ８１０）において、前記無線通信装置１００の電場強度を効果的に低減させる。更に詳しく述べると、前記ＨＡＣモジュール４０によって、前記無線通信装置１００の電場強度の値がＭ４等級に近づき、従ってＨＡＣ規準に適合する。
【００１７】
図６は、本発明の無線通信装置１００のレシーバー２０の周りの磁場強度のテスト結果を示している。実線６１は、ＨＡＣモジュール４０を設けない場合の磁場強度を示す。実線６２は、ＨＡＣモジュール４０を設けた後の磁場強度を示す。図６から分かるように、前記無線通信装置１００にＨＡＣモジュール４０を設けると、前記ＨＡＣモジュール４０は低周波通路（ＣＨ５１２）及び中周波通路（ＣＨ６６１）において、前記無線通信装置１００の磁場強度を効果的に低減することができる。更に詳しく述べると、前記ＨＡＣモジュール４０によって、前記無線通信装置１００の磁場強度の値がＭ４等級に近づき、従ってＨＡＣ規準に適合する。
【００１８】
図７は、本発明の無線通信装置１００の総輻射電力のテスト結果を示している。実線７１は、ＨＡＣモジュール４０を設けない場合の総輻射電力を示す。実線７２は、ＨＡＣモジュール４０を設けた後の総輻射電力を示す。図７から分かるように、前記無線通信装置１００にＨＡＣモジュール４０を設けた後では、前記ＨＡＣモジュール４０の前記無線通信装置１００の総輻射電力に対する影響はそれほど大きくないため、前記無線通信装置１００はより良い送受信機能を有する。
【００１９】
上記の実施形態によると、本発明は、前記無線通信装置１００にＨＡＣモジュール４０を設けることにより、前記無線通信装置１００の総輻射電力を増大させず、そのレシーバー２０の周りの電場強度及び磁場強度を効果的に低減させることができる。これにより前記無線通信装置１００は、ＨＡＣ規準に適合し（補聴器との互換性がよい）且つより良い送受信機能を有する。
【００２０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２１】
１０                回路基板
２０                レシーバー
３０                アンテナモジュール
４０                補聴器互換モジュール
４１                基体
４１ａ              第一キャリア面
４１ｂ              第二キャリア面
４１ｃ              第三キャリア面
４２                アース部材
４２ａ、４２ｂ      長辺
４２ｃ、４２ｄ      短辺
５１、５２、６１、６２、７１、７２      実線
１００              無線通信装置
１０１              第一表面
１０２              第二表面
４２１              第一アース部
４２２              第二アース部
４２３              連接手段
４２４              第一スロット
４２５              第二スロット
４２６              第三スロット
４２７              第四スロット
４２８              第五スロット
４２９              第六スロット
４２３１            第一連接部
４２３２            第二連接部
４２３３            第三連接部
４２３４            凹所
【図１】
2012129992.tif 000003
【図２】
2012129992.tif 000004
【図３】
2012129992.tif 000005
【図４】
2012129992.tif 000006
【図５】
2012129992.tif 000007
【図６】
2012129992.tif 000008
【図７】
2012129992.tif 000009